(57)【要約】【課題】本発明は、魚釣り用リールに装着することにより、使い勝手の良い魚釣り用リールにすることができる魚釣り用リールのハンドル装置を提供することを目的とするものである。【解決手段】本発明の魚釣り用リールのハンドル装置は、リール本体の一側に突出したハンドル軸に取り付けられたハンドルアームの一側にハンドル軸に平行な軸を中心として回転するよう軸支持され、ハンドルアームから離れた位置で掌で覆うノブを少なくとも備え、ノブ内部にてノブの傾斜を自在に変更可能としたことで、上記課題を解決している【選択図】図１
2016112005.tif 000002
【特許請求の範囲】
【請求項１】
魚釣り用リール本体に回転可能に取り付けたハンドル装置の回転によりスプールに釣り糸を巻き取る魚釣り用リールにおいて、前記ハンドル装置は、前記リール本体の一側に回転可能に設けられたハンドル軸に取り付けられたハンドルアームと、前記ハンドルアームの自由端に前記ハンドル軸の中心軸と平行な中心軸を中心軸として回動自在に前記リール本体から離れる方向に突出して一端が取り付けられたシャフトと、前記シャフトの他端に取付角度が可変に設けられたノブとから少なくともなることを特徴とする魚釣り用リール。
【請求項２】
前記ノブは、前記シャフトの中心軸に対し、直交する位置と前記ハンドル軸から離れる方向に傾斜する位置に取付角度が可変となっている請求項１に記載の魚釣り用リール。
【請求項３】
前記シャフトの他端には二つ割のノブを螺着するねじ取り付け部が設けられるとともに、前記ノブの内面に形成された凹凸部と係合する凹凸部が形成されている請求項１又は請求項２のいずれか１項に記載の魚釣り用リール。
【請求項４】
前記ノブの一方の内面に形成された凹凸部と係合する凹凸部が前記シャフトに形成されている請求項３項に記載の魚釣り用リール。
【請求項５】
ノブの親指側には親指を載置するノブキャップが回動自在に取り付けられている請求項１乃至請求項４のいずれか１項に記載の魚釣り用リール。
【請求項６】
魚釣り用リール本体に回転可能に取り付けてスプールに釣り糸を巻き取る魚釣り用リールのハンドル装置は、前記リール本体に回転可能に設けられたハンドル軸に一端が取り付けられたハンドルアームと、前記ハンドルアームの他端に前記ハンドル軸の中心軸と平行な中心軸を中心軸として回動自在に前記リール本体から離れる方向に突出して一端が取り付けられたシャフトと、前記シャフトの他端に取付角度が可変に設けられたノブとから少なくともなることを特徴とするハンドル装置。
【発明の詳細な説明】
【技術分野】
【０００１】  本発明は、魚釣り用リールと魚釣り用リールのハンドル装置に関するものである。
【背景技術】
【０００２】  魚釣り用リール本体に回転可能に取り付けたハンドル装置の回転によりスプールに釣り糸を巻き取る魚釣り用リールにおいて、前記ハンドル装置は、前記リール本体の一側に回転可能に設けられたハンドル軸に取り付けられたハンドルアームと、前記ハンドルアームの自由端に前記ハンドル軸に平行な軸を中心として回転するよう軸支持され、ハンドルアームから離れた位置で掌で覆う握り部を備えたものとして特許文献１に示すものや、前記ハンドル軸に平行な軸線に対して前記ノブの傾斜した軸線がなす角度が傾斜したものとして特許文献２に示すものがある。【０００３】  前記ハンドル軸に平行な軸線に対して前記ノブの傾斜した軸線がなす角度が傾斜したものによって、掌で覆った状態でノブを回転し易い姿勢に維持でき、重負荷が掛かったときにもハンドルアームからノブに至るシャフトを撓ませる無理な力がかかることを抑制できる。
しかし、使用するユーザーの体格や手の大きさや釣行時（季節）の服装やユーザーの好みによりノブに至るシャフトを撓ませる無理な力がかかることを抑制できる角度がユーザーごとに違う為、状況により複数本のハンドルが必要になるという問題点があった。
【先行技術文献】
【特許文献】
【０００４】
【特許文献１】実公昭５８−６２９０号公報
【特許文献２】特開２００４−１９４５６５号公報
【発明の概要】
【発明が解決しようとする課題】
【０００５】  本発明は、上記問題点に鑑みてなされたものであり、ノブの傾斜を自在に変更出来ることによりハンドルアームに指が当たることを解決すると共に、ユーザーに合った握り易く釣り糸の巻き取り操作がし易い魚釣り用リールを提供することを目的とするものである。
【課題を解決するための手段】
【０００６】  上記課題を解決するために、本発明の魚釣り用リールは、魚釣り用リール本体に回転可能に取り付けたハンドル装置の回転によりスプールに釣り糸を巻き取る魚釣り用リールにおいて、前記ハンドル装置は、前記リール本体の一側に回転可能に設けられたハンドル軸に取り付けられたハンドルアームと、前記ハンドルアームの自由端に前記ハンドル軸の中心軸と平行な中心軸を中心軸として回動自在に前記リール本体から離れる方向に突出して一端が取り付けられたシャフトと、前記シャフトの他端に取付角度が可変に設けられたノブとから少なくともなることを特徴とする。
又、本発明にあっては、前記ノブは、前記シャフトの中心軸に対し、直交する位置と前記ハンドル軸から離れる方向に傾斜する位置に取付角度が可変となっていることが望ましい。
又、本発明にあっては、前記シャフトの他端には二つ割のノブを螺着するねじ取り付け部が設けられるとともに、前記ノブの内面に形成された凹凸部と係合する凹凸部が形成されていることが望ましい。
又、本発明にあっては、前記ノブの一方の内面に形成された凹凸部と係合する凹凸部が前記シャフトに形成されていることが望ましい。
又、本発明にあっては、ノブの親指側には親指を載置するノブキャップが回動自在に取り付けられていることが望ましい。
又、本発明にあっては、魚釣り用リール本体に回転可能に取り付けてスプールに釣り糸を巻き取る魚釣り用リールのハンドル装置は、前記リール本体に回転可能に設けられたハンドル軸に一端が取り付けられたハンドルアームと、前記ハンドルアームの他端に前記ハンドル軸の中心軸と平行な中心軸を中心軸として回動自在に前記リール本体から離れる方向に突出して一端が取り付けられたシャフトと、前記シャフトの他端に取付角度が可変に設けられたノブとから少なくともなることを特徴とすることが望ましい。
【発明の効果】
【０００７】  本発明の魚釣り用リールは、魚釣り用リール本体に回転可能に取り付けたハンドル装置の回転によりスプールに釣り糸を巻き取る魚釣り用リールにおいて、前記ハンドル装置は、前記リール本体の一側に回転可能に設けられたハンドル軸に取り付けられたハンドルアームと、前記ハンドルアームの自由端に前記ハンドル軸の中心軸と平行な中心軸を中心軸として回動自在に前記リール本体から離れる方向に突出して一端が取り付けられたシャフトと、前記シャフトの他端に取付角度が可変に設けられたノブとから少なくともなることを特徴とするものであるから、ノブをハンドルアームに支持するシャフトの軸線は、ハンドル軸の軸線と平行であるため、ノブの回転をスムースに行うことができると共に、１本のハンドルでノブの傾斜を自在に変更出来ることによりハンドルアームに指が当たることを解決すると共に、ユーザーに合った握り易く釣り糸の巻き取り操作がし易い魚釣り用リールとなり、状況に合わせて複数本のハンドルを用意すること無く、使用するユーザーの体格や手の大きさや釣行時（季節）の服装やユーザーの好みによりノブに至るシャフトを撓ませる無理な力がかかることを抑制できる角度が、ユーザーごとにノブの傾斜を自在に変更出来ることによりハンドルアームに指が当たることを解決すると共に、ユーザーに合った握り易く釣り糸の巻き取り操作がし易く更に使い勝手が向上するという効果がある。
又、請求項２のように、前記ノブは、前記シャフトの中心軸に対し、直交する位置と前記ハンドル軸から離れる方向に傾斜する位置に取付角度が可変となっているものは、使用するユーザーの体格や手の大きさや釣行時（季節）の服装やユーザーの好みによりノブに至るシャフトを撓ませる無理な力がかかることを抑制できる角度がユーザーごとに、ノブの傾斜を自在に変更出来ることによりハンドルアームに指が当たることを解決すると共に、ユーザーに合った握り易く釣り糸の巻き取り操作がし易く更に使い勝手が向上するという効果がある。
又、請求項３のように、前記シャフトの他端には二つ割のノブを螺着するねじ取り付け部が設けられるとともに、前記ノブの内面に形成された凹凸部と係合する凹凸部が形成されているものは、ノブの傾斜を自在に変更出来、尚且つ凹凸部が噛みこむ事により完全に係合出来るという効果がある。
又、請求項４のように、前記ノブの一方の内面に形成された凹凸部と係合する凹凸部が前記シャフトに形成されているものは、凹凸部が形成されたノブを取付けているねじを凹凸部が滑る位置まで緩めることのよりノブの取付角度を可変にできるという効果がある。
又、請求項５のように、ノブの親指側には親指を載置するノブキャップが回動自在に取り付けられているものは、ノブを握る角度により変わる親指の角度に合わせる事が出来るという効果がある。
又、請求項６のように、魚釣り用リール本体に回転可能に取り付けてスプールに釣り糸を巻き取る魚釣り用リールのハンドル装置は、前記リール本体に回転可能に設けられたハンドル軸に一端が取り付けられたハンドルアームと、前記ハンドルアームの他端に前記ハンドル軸の中心軸と平行な中心軸を中心軸として回動自在に前記リール本体から離れる方向に突出して一端が取り付けられたシャフトと、前記シャフトの他端に取付角度が可変に設けられたノブとから少なくともなっているものは、使用するユーザーの体格や手の大きさや釣行時（季節）の服装やユーザーの好みによりノブに至るシャフトを撓ませる無理な力がかかることを抑制できる角度が、ユーザーごとにノブの傾斜を自在に変更出来ることによりハンドルアームに指が当たることを解決すると共に、ユーザーに合った握り易く釣り糸の巻き取り操作がし易く更に使い勝手が向上するという効果がある。
【図面の簡単な説明】
【０００８】
【図１】図１は、本発明の魚釣り用リールのハンドル装置の分解斜視図である。
【図２】図２は、本発明の魚釣り用リールのハンドル装置の分解斜視図である。
【図３】図３は、本発明の魚釣り用リールのハンドル装置のリール装着図（０°）である。
【図４】図４は、本発明の魚釣り用リールのハンドル装置のリール装着図（傾斜）である。
【図５】図５は、本発明の魚釣り用リールのハンドル装置のノブ傾斜セッティングを説明する図である。
【発明を実施するための形態】
【０００９】  以下、本発明を実施するための形態について図面を参照して説明する。
【００１０】  魚釣り用リールＲは、リール本体Ｒ１に回転可能に取り付けたハンドル装置１の回転によりスプールに釣り糸を巻き取る魚釣り用リールＲにおいて、ハンドル装置１は、リール本体Ｒ１の一側に回転可能に設けられたハンドル軸Ｈに取り付けられたハンドルアーム２と、ハンドルアーム２の自由端にハンドル軸Ｈの中心軸と平行な中心軸を中心軸として回動自在にリール本体Ｒ１から離れる方向に突出して一端が取り付けられたシャフト３と、シャフト３の他端に取付角度が可変に設けられたノブ４とからなっている。
【００１１】  ハンドルアーム２は、錆びに強い金属材でできているかメッキが施されており、ハンドル軸Ｈに取り付けられる第１の開口部２ａと、シャフト３が取り付けられる第２の開口部２ｂとが形成されている。第１の開口部２ａ及び第２の開口部２ｂは、ハンドルアーム２の平面に対し直交して形成されている。
【００１２】  シャフト３は、ハンドルアーム２に固定された支持軸５に軸受２０を介して回動自在に挿入されている。シャフト３は、金属材もしくは樹脂で形成されており、二つ割のノブ４にそれぞれ形成された軸受部６に挿入される円柱状の軸部７、７が立方体状の連結部８の両面にそれぞれ形成されている。軸部７、７の中心にはねじ取り付け部となるねじ部９、９がそれぞれ形成されており、手のひらで包まれる側となる第１のノブ４ａの内面に形成された凹凸部１０と係合する凹凸部１１が一方の軸部７の上面に形成されている。
【００１３】  シャフト３の凹凸部１１は、軸部７、７から放射状に形成されており、第１のノブ４ａの凹凸部１０もシャフト３の凹凸部１１と係合するように放射状に同一ピッチ、同一形状に形成されている。実施例では、凹凸部１０，１１は、９０本それぞれ形成されている。第１のノブ４ａの開口部１２からねじ１３を入れてシャフト３のねじ部９に螺合すると第１のノブ４ａの凹凸部１０とシャフト３の凹凸部１１は完全には係合せず、第１のノブ４ａを移動させることが可能であり、手のひらで包まれない側となる第２のノブ４ｂの開口部１４からねじ１５を入れてシャフト３のねじ部９に螺合するとともに、固定ボルト１６を第１のノブ４ａの内面に形成されたねじ部１７に螺合することで第１のノブ４ａの凹凸部１０とシャフト３の凹凸部１１は完全に係合し、シャフト３に対しノブ４が固定さる。シャフト３の凹凸部１１は、軸部７、７から放射状に形成されており、ノブ４の凹凸部１０もシャフト３の凹凸部１１と係合するように放射状に同一ピッチ、同一形状に形成されているものを実施例として説明したが、ノブ４が所定の角度で固定できるようにしたものであれば、放射状に形成されていなくても構わないものである。第１のノブ４ａと第２のノブ４ｂの両方に凹凸部を形成するとともに両方の軸部７の上面に凹凸部を形成したものは、ノブの角度を可変させる時に全ての凹凸部が滑る位置までねじ１３、１５、固定ボルト１６を緩める必要が有り、第１のノブ４ａと第２のノブ４ｂの凹凸部とシャフト３の凹凸部１１の両側の隙間調整が必要になるが、第１のノブ４ａの内面に形成された凹凸部１０と係合する凹凸部１１を一方の軸部７の上面に形成し、第２のノブ４ｂを凹凸部が形成されていない軸受形状にすれば、第２のノブ４ｂ側のねじ１５、固定ボルト１６を少し緩め、シャフト３を第２のノブ４ｂ側に押し付けた状態で第１のノブ４ａ側のねじ１３を凹凸部が滑る位置まで、少しずつ緩めて行けば調整ができ、角度調整が簡単にできる。
【００１４】  シャフト３と支持軸５との間に介在された２個の軸受２０に水等が侵入しないように連結部８のシャフト突出側の反対面にはエンドキャップ２１が設けられている。
【００１５】  第１のノブ４ａと第２のノブ４ｂの親指側にはノブキャップ１８が回動自在に取り付けられており、ノブを握る角度により変わる親指の角度に合わせる事が出来る様になっている。第１のノブ４ａと第２のノブ４ｂの小指側には水抜き穴１９が形成されている。ノブ４は、金属材もしくは樹脂でできており、ハンドル軸Ｈに平行な軸線に対して一方が他方に比して長くその長い側から短い側に向けて漸次太く掌（手のひら）で覆われる局面形状を呈すると共に、短い側がハンドルアームに近づくようユーザーのニーズに合わせて自在に傾斜した軸線方向に設けられるようになっている。
【００１６】  図５では、ノブの傾斜例としてａ〜ｅで０°〜１６°（４°ごと）の５段階で説明したが、０°〜９０°まで無段階で傾斜させる事も可能で有る。
【００１７】  図５では、ノブの傾斜に伴いノブを握る角度により変わる親指の角度に合わせて、ノブキャップを５段階に角度を変わるようにしているが、０°〜１８０°まで無段階で回動させる事も可能で有る。
【符号の説明】
【００１８】１                ハンドル装置
２                ハンドルアーム
２ａ              第１のハンドルアームの開口部
２ｂ              第２のハンドルアームの開口部
３                シャフト
４                ノブ
４ａ              第１のノブ
４ｂ              第２のノブ
５                支持軸
６                軸受部
７                軸部
８                連結部
９                ねじ部
１０              ノブの凹凸部
１１              シャフトの凹凸部
１２              第１のノブの開口部
１３              ねじ
１４              第２のノブの開口部
１５              ねじ
１６              固定ボルト
１７              ねじ部
１８              ノブキャップ
１９              水抜き穴
２０              軸受
２１              エンドキャップ
Ｈ                ハンドル軸
Ｒ                魚釣り用リール
【図１】
2016112005.tif 000003
【図２】
2016112005.tif 000004
【図３】
2016112005.tif 000005
【図４】
2016112005.tif 000006
【図５】
2016112005.tif 000007